【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
物体側から像側へ順に、焦点調整のために移動するフォーカスレンズ群と、変倍のために移動する２つ以上のレンズ群を含む変倍レンズ群団と、変倍のためには移動しないリレーレンズ群と、を有するズームレンズであって、
前記ズームレンズのピント位置の変動を補正するために光軸方向に移動する補正レンズ群を有し、該補正レンズ群は、前記フォーカスレンズ群内もしくは前記変倍レンズ群団内に配置され、
前記補正レンズ群が前記光軸方向に１ｍｍ移動した場合の広角端でのピント位置の変化量をΔＳｋｗ（ｍｍ）とし、前記補正レンズ群が前記光軸方向に１ｍｍ移動した場合の望遠端でのピント位置の変化量をΔＳｋｔ（ｍｍ）とし、前記補正レンズ群が前記ピント位置の変動を補正するための移動量の最大絶対値をＭｂとし、前記変倍レンズ群団内のレンズ群の移動量の最大絶対値をＭｍとして、
０.００１＜Ｍｂ／Ｍｍ＜０.１００
０.００５＜｜ΔＳｋｗ｜＜０．５００
０.００１＜ΔＳｋｗ／ΔＳｋｔ＜０．１００
なる条件式を満足することを特徴とするズームレンズ。
【請求項２】
前記補正レンズ群は、前記変倍レンズ群団内の前記レンズ群の位置の変化による前記ピント位置の変動と、前記フォーカスレンズ群の位置の変化による前記ピント位置の変動と、温度の変化による前記ピント位置の変動と、前記ズームレンズの姿勢の変化による前記ピント位置の変動と、製造誤差による前記ピント位置の変動とのうち１つ以上を補正することを特徴とする請求項１に記載のズームレンズ。
【請求項３】
前記変倍レンズ群団と前記リレーレンズ群との間に絞りを有し、
前記補正レンズ群は、前記変倍レンズ群団内の前記レンズ群の位置の変化による前記ピント位置の変動と、前記フォーカスレンズ群の位置の変化による前記ピント位置の変動と、温度の変化による前記ピント位置の変動と、前記ズームレンズの姿勢の変化による前記ピント位置の変動と、製造誤差による前記ピント位置の変動と、前記絞りの絞り値の変化による前記ピント位置の変動とのうち１つ以上を補正する
ことを特徴とする請求項１に記載のズームレンズ。
【請求項４】
前記補正レンズ群は、前記フォーカスレンズ群内に配置されていることを特徴とする請求項１ないし請求項３のうちいずれか１項に記載のズームレンズ。
【請求項５】
前記補正レンズ群は、前記変倍レンズ群団内に配置されていることを特徴とする請求項１ないし請求項３のうちいずれか１項に記載のズームレンズ。
【請求項６】
前記補正レンズ群は、１枚のレンズ、２枚のレンズ、または、３枚のレンズからなることを特徴とする請求項１ないし請求項５のうちいずれか１項に記載のズームレンズ。
【請求項７】
請求項１ないし請求項６のうちいずれか１項に記載のズームレンズと、該ズームレンズによって形成された光学像を受光する撮像素子とを備える撮像装置であって、
前記ズームレンズの開放ＦナンバーをＦｎｏとし、前記撮像装置の許容錯乱円径をδ（ｍｍ）とし、焦点深度をＤとして、
Ｄ＝Ｆｎｏ×δ
１．０＜Ｍｂ／Ｄ＜３００．０
なる条件式を満足することを特徴とする撮像装置。
【請求項８】
前記変倍レンズ群団内の前記レンズ群の位置を検出する検出手段と、前記フォーカスレンズ群の位置を検出する検出手段と、前記ズームレンズ内の絞りの絞り値を検出する検出手段と、温度を検出する検出手段と、前記ズームレンズの姿勢を検出する検出手段と、前記補正レンズ群の位置を検出する検出手段と、前記補正レンズ群を駆動する駆動手段と、
前記変倍レンズ群団内の前記レンズ群の位置の変化による前記ピント位置の変動と、前記フォーカスレンズ群の位置の変化による前記ピント位置の変動と、前記温度の変化による前記ピント位置の変動と、前記絞り値の変化による前記ピント位置の変動と、前記姿勢の変化による前記ピント位置の変動とのうち１つ以上の量を得、得られた前記量に基づいて前記補正レンズ群の移動を制御する制御手段と、
を有することを特徴とする請求項７に記載の撮像装置。
【手続補正２】
【補正対象書類名】明細書
【補正対象項目名】００１１
【補正方法】変更
【補正の内容】
【００１１】
上記目的を達成するために、本発明のズームレンズは、物体側から像側へ順に、焦点調整のために移動するフォーカスレンズ群と、変倍のために移動する２つ以上のレンズ群を含む変倍レンズ群団と、変倍のためには移動しないリレーレンズ群と、を有するズームレンズに関する。該ズームレンズは、前記ズームレンズのピント位置の変動を補正するために光軸方向に移動する補正レンズ群を有し、該補正レンズ群は、前記フォーカスレンズ群内もしくは前記変倍レンズ群団内に配置され、前記補正レンズ群が前記光軸方向に１ｍｍ移動した場合の広角端でのピント位置の変化量をΔＳｋｗ（ｍｍ）とし、前記補正レンズ群が前記光軸方向に１ｍｍ移動した場合の望遠端でのピント位置の変化量をΔＳｋｔ（ｍｍ）とし、前記補正レンズ群が前記ピント位置の変動を補正するための移動量の最大絶対値をＭｂとし、前記変倍レンズ群団内のレンズ群の移動量の最大絶対値をＭｍとして、
０.００１＜Ｍｂ／Ｍｍ＜０.１００
０.００５＜｜ΔＳｋｗ｜＜０．５００
０.００１＜ΔＳｋｗ／ΔＳｋｔ＜０．１００
なる条件式を満足することを特徴とする。
【手続補正３】
【補正対象書類名】明細書
【補正対象項目名】００１４
【補正方法】変更
【補正の内容】
【００１４】
【図１】実施例１に係るレンズの広角端、無限遠合焦時における断面図である。
【図２】（Ａ）、（Ｂ）、（Ｃ）実施例１の物体距離無限遠合焦時における広角端、焦点距離４５．６ｍｍ、望遠端における収差図である。
【図３】実施例１に係る撮像装置の要部概略図である。
【図４】実施例２に係るレンズの広角端、無限遠合焦時における断面図である。
【図５】（Ａ）、（Ｂ）、（Ｃ）実施例２の物体距離無限遠合焦時における広角端、焦点距離３００．０ｍｍ、望遠端における収差図である。
【図６】実施例２に係る撮像装置の要部概略図である。
【図７】実施例３に係るレンズの広角端、無限遠合焦時における断面図である。
【図８】（Ａ）、（Ｂ）、（Ｃ）実施例３の物体距離無限遠合焦時における広角端、焦点距離５０５．０ｍｍ、望遠端における収差図である。
【図９】実施例３に係る撮像装置の要部概略図である。
【図１０】実施例４に係るレンズの広角端、無限遠合焦時における断面図である。
【図１１】（Ａ）、（Ｂ）、（Ｃ）実施例４の物体距離無限遠合焦時における広角端、焦点距離３２．２ｍｍ、望遠端における収差図である。
【図１２】実施例４に係る撮像装置の要部概略図である。
【図１３】ズームカム機構の概略図である。
【手続補正４】
【補正対象書類名】明細書
【補正対象項目名】００１９
【補正方法】変更
【補正の内容】
【００１９】
図３は、本発明の実施例１である撮像装置の構成を示している。
同図において、１は第１レンズ群Ｌ１に対応するフォーカスレンズ群である。２は第２、３レンズ群に対応する変倍レンズ群であり、光軸上を移動して変倍を行うレンズ群２ａと変倍に伴って変動する像面を補正するレンズ群２ｂとを有している。３は開口絞りである。４は第４レンズ群Ｌ４に対応する前リレーレンズ群、６は第５レンズ群Ｌ５に対応する後リレーレンズである。実施例１において、補正レンズ群はレンズ群１ｂであり、フォーカスレンズ群の一部である第４サブレンズ群Ｌ１４と同一であり、ピント位置の変動を補正するために光軸上を移動する。以上より本実施例では各要素１〜４と６よりズームレンズを構成している。７はズームレンズで形成された光学像を受光する撮像素子、８は映像信号処理回路であり、撮像素子７からの信号に基づいて映像信号を得ている。９はフォーカスレンズ群１の駆動部であり、ヘリコイドやカム等の機構によりフォーカスレンズ群１を光軸方向に駆動する。１０は変倍レンズ群２の駆動部であり、図１３に示すようにカム機構により変倍レンズ群２を光軸方向に駆動する。１１は開口絞り３の開口径を調整する駆動部である。１２は補正レンズ群の駆動部である。１４は変倍レンズ群２のズーム位置を検出するズーム位置検出手段である。１５は温度を検出する温度検出手段である。２２は補正レンズ群の位置検出手段（補正位置検出手段）である。１６は演算部であり、ズームレンズ全体の各種の駆動を制御するための演算を行っている。１７は記録部であり、ズーム位置の変化、温度変化によるピント位置の変動量を記録している。
【手続補正５】
【補正対象書類名】明細書
【補正対象項目名】００６０
【補正方法】変更
【補正の内容】
【００６０】
許容錯乱円径δは０．０１０ｍｍとする。よって、焦点深度Ｄは０．０１８ｍｍである。実施例２におけるズーム位置の変化における焦点位置の最大変動量は０．２Ｄ(広角端)〜２４．０Ｄ(望遠端)とする。即ち０．００４(広角端)〜０．４４４(望遠端)ｍｍとする。温度の変化における焦点位置の最大変動量は２Ｄ(広角端)〜２４０Ｄ(望遠端)とする。即ち０．０３６(広角端)〜４．４４０(望遠端)ｍｍとする。フォーカシングレンズの位置の変化における焦点位置の最大変動量は０．０１Ｄ(広角端)〜１４４．００Ｄ(望遠端)とする。即ち０．０００２(広角端)〜２．５９２０(望遠端)ｍｍとする。以上より０．０４０(広角端)〜７．４７６(望遠端)ｍｍのピント位置の変化が発生する。よって、補正レンズ群の移動によるピント位置変化量は、０．０４０(広角端)〜７．４７６(望遠端)ｍｍとすれば良い。補正レンズ群の移動量１ｍｍあたりのピント位置の変化量は、０．０９７８（広角端）〜４．０５１５（望遠端）ｍｍである。よって、補正レンズ群のピント位置変化の補正のための最大移動量Ｍｂは、望遠端にて最大となり、１．８４５ｍｍとなる。変倍レンズ群の中で最も移動量の大きい第２レンズ群Ｌ２の移動量は１８９．９３２ｍｍである。
【手続補正６】
【補正対象書類名】明細書
【補正対象項目名】００７４
【補正方法】変更
【補正の内容】
【００７４】
実施例４において、補正レンズ群は第３サブレンズ群Ｌ１３であり、ピント位置の変動を補正するために光軸上を移動する。
【手続補正７】
【補正対象書類名】明細書
【補正対象項目名】００８０
【補正方法】変更
【補正の内容】
【００８０】
実施例４におけるズーム位置の変化における焦点位置の最大変動量は０．１Ｄ(広角端)〜５．０Ｄ(望遠端)とする。即ち０．００１(広角端)〜０．０５０(望遠端)ｍｍとする。温度の変化における焦点位置の最大変動量は０．４Ｄ(広角端)〜４０Ｄ(望遠端)とする。即ち０．００４(広角端)〜０．４００(望遠端)ｍｍとする。フォーカス位置の変化における焦点位置の最大変動量は０．４Ｄ(広角端)〜２０．０Ｄ(望遠端)とする。即ち０．００４(広角端)〜０．２００(望遠端)ｍｍとする。姿勢による焦点位置の最大変動量は０．５Ｄ(広角端)〜２０Ｄ(望遠端)とする。即ち０．００５(広角端)〜０．２００(望遠端)ｍｍとする。絞り値による焦点位置の最大変動量は０．５Ｄ(広角端)〜１Ｄ(望遠端)とする。即ち０．００５(広角端)〜０．０１０(望遠端)ｍｍとする。以上より０．０１９(広角端)〜０．８６０(望遠端)ｍｍのピント位置の変化が発生する。よって、補正レンズ群の移動によるピント位置変化量は、０．０１９(広角端)〜０．９８９(望遠端)ｍｍとすれば良い。